(57)【要約】【課題】  膣の内壁に密接でき、経血の漏れ防止の効果を実現し得るタンポンを提供する。【解決手段】  液体を吸収できる綿体を仮想軸を中心軸として該中心軸の周りに螺旋状に巻くように形成され、該綿体を前記仮想軸に一回りさせて形成される複数の綿ループを具え、前記綿ループ同士が密着している吸収体と、前記吸収体を膣から引き出すために前記吸収体の端部に設けられた引き紐と、を具えるタンポン。【選択図】  図４
2019209022.tif 000002
【特許請求の範囲】
【請求項１】
液体を吸収できる綿体を仮想軸を中心軸として該中心軸の周りに螺旋状に巻くように形成され、前記綿体を前記仮想軸に一回りさせて形成される複数の綿ループを具え、前記綿ループ同士が密着している吸収体と、
前記吸収体を膣から引き出すために前記吸収体の端部に設けられた引き紐と、
を具えることを特徴とするタンポン。
【請求項２】
前記複数の綿ループは、協働して前記仮想軸に沿って延伸する収容空間を区画し、
前記タンポンは、前記収容空間に取り外し可能に挿入されるプッシュロッドと、前記プッシュロッドが前記収容空間に挿入されたときにも前記収容空間の外側に位置するよう前記プッシュロッドに接続されている手持部と、を具える補助装置を更に備え、
前記手持部は、前記吸収体を前記膣に押し込むこと、並びに前記プッシュロッドを前記吸収体から引き離して前記膣から引き出すことができることを特徴とする請求項１に記載のタンポン。
【請求項３】
前記複数の綿ループは同じ直径を有することを特徴とする請求項１又は請求項２に記載のタンポン。
【請求項４】
前記複数の綿ループは、前記吸収体の前記手持部に最も近い一端から、前記吸収体の前記手持部から離れた他の一端に近づくに連れ、直径が徐々に縮まり、
前記引き紐は、前記複数の綿ループのうち直径が最大のものに接続されていることを特徴とする請求項２に記載のタンポン。
【請求項５】
前記複数の綿ループは、前記吸収体の前記手持部に最も近い一端から、前記吸収体の前記手持部から離れた他の一端にかけて、直径が徐々に拡大してから徐々に縮まることを特徴とする請求項２に記載のタンポン。
【請求項６】
前記吸収体は、複数の綿体を撚り合わせることにより螺旋状に形成されていることを特徴とする請求項１又は請求項２に記載のタンポン。
【請求項７】
各前記綿ループの外周面に、それぞれ前記仮想軸と平行するように延伸する複数の溝が、前記仮想軸を取り囲むと共に円周方向に互いに離間するように形成され、各前記綿ループの該溝はそれぞれ隣接する前記綿ループの前記溝と一直線に連通することを特徴とする請求項１に記載のタンポン。
【請求項８】
前記吸収体が膣内に挿入されたとき、前記吸収体は、前記膣の膣口とは反対側の先端と、前記膣口に近接する近端とを有し、前記引き紐の一端は、前記吸収体の前記近端に位置する前記綿ループに固定されていることを特徴とする請求項１〜７の何れか１項に記載のタンポン。
【発明の詳細な説明】
【技術分野】
【０００１】
本発明は、衛生用品に関し、特に、タンポンに関する。
【背景技術】
【０００２】
生理用ナプキンと異なり、タンポンはむれを感じさせることがなく、且つ、ナプキンのように歩行時に皮膚との摩擦によって使用者への不快感を引き起こすことがない。図１に示されるように、従来のタンポン１は、略円筒状の先端面が湾曲した吸収体１１と、該吸収体１１に接続された引き紐１２とを具える。使用の際には、経血を吸収するように膣２内に吸収体１１を挿入することで、経血の漏れ防止や清潔保持の効果を実現できる。また、引き紐１２を引っ張ると、吸収体１１を膣２から簡単に除去できる。
【先行技術文献】
【特許文献】
【０００３】
【特許文献１】台湾特許第Ｉ５８４７９０号明細書
【発明の概要】
【発明が解決しようとする課題】
【０００４】
しかし、膣２は湾曲しているのに対し、上記従来のタンポンでは、吸収体１１が単純な略円筒状であるため、タンポン１が膣２に挿入した後、吸収体１１は経血を吸収して膨らむが、不規則な形状を有する膣２の内壁に密接できず、図３に示されるように、タンポン１と膣２の間に隙間が生じる。隙間の存在によって、経血は隙間を通って膣２から流出し易いので、使用者は膣２から流出する経血を吸収するために生理用ナプキンをタンポン１と併用しなければならない。そのため、従来のタンポン１は使い勝手が悪く、改善の余地がまだある。
【０００５】
よって、本発明は上記の問題点に鑑みて、膣の内壁に密接でき、経血の漏れ防止の効果を実現し得るタンポンを提供する。
【課題を解決するための手段】
【０００６】
上記の目的を達成すべく、本発明は、液体を吸収できる綿体を仮想軸を中心軸として該中心軸の周りに螺旋状に巻くように形成され、該綿体を前記仮想軸に一回りさせて形成される複数の綿ループを具え、前記綿ループ同士が密着している吸収体と、前記吸収体を膣から引き出すために前記吸収体の端部に設けられた引き紐と、を具えるタンポンを提供する。
【発明の効果】
【０００７】
以上のように、本発明の実施形態によるタンポンは、経血を吸収した後の綿ループが膣の内壁に対応して密接することができ、経血の漏れを防止することができる。従って、使い勝手がいいと共に便利性及び快適性を持つタンポンを実現し得る。
【図面の簡単な説明】
【０００８】
【図１】従来のタンポンが示される概略図である。
【図２】従来のタンポンが使用される様子を示す概略図である。
【図３】従来のタンポンと膣の内壁の間にある隙間が示される断面図である。
【図４】本発明の第１の実施形態によるタンポンが示される斜視図である。
【図５】第１の実施形態が示される断面図である。
【図６】図４に示された第１の実施形態によるタンポンと、タンポンの吸収体に取り付ける第１の実施形態に含まれる補助装置と、が示される斜視図である。
【図７】図６に示された第１の実施形態における断面図である。
【図８】第１の実施形態が使用される様子を示す概略図である。
【図９】第１の実施形態の吸収体が経血を吸収した状態を示す概略図である。
【図１０】第１の実施形態の吸収体が経血を吸収する前の状態を示す断面図である。
【図１１】第１の実施形態の吸収体が経血を吸収した後、膣の内壁と密接する様子を示す断面図である。
【図１２】第１の実施形態の変形例が示される概略図である。
【図１３】本発明の第２の実施形態によるタンポンが示される概略図である。
【図１４】本発明の第３の実施形態によるタンポンが示される概略図である。
【図１５】本発明の第４の実施形態によるタンポンが示される一部斜視図である。
【図１６】第４の実施形態によるタンポンの変形例が示される斜視図である。
【図１７】本発明の第５の実施形態によるタンポンが示される斜視図である。
【発明を実施するための形態】
【０００９】
本発明をより詳細に説明する前に、適切と考えられる場合において、符号又は符号の末端部は、同様の特性を有し得る対応する要素を示すために各図面間で繰り返し用いられることに留意されたい。
【００１０】
本発明の第１の実施形態によるタンポン４は、図４、図５及び図８に示すように、経血を吸収するために膣５に挿入される吸収体４１と、吸収体４１の一端に設けられた引き紐４２とを具える。本実施形態において、吸収体４１は、単一の綿体４１１を仮想軸Ａを中心軸として該中心軸の周りに螺旋状に巻くように形成され、それぞれ綿体４１１の仮想軸Ａ周りの一回り分である綿ループ４１２を複数具え、隣り合う綿ループ４１２同士は密着している。最も外側に位置する２つの綿ループ４１２は、それぞれ溶解可能な接着剤によって隣接する綿ループ４１２の一端に接続された一端を有する。このように、綿ループ４１２を互いに当接させて保持することにより、吸収体４１は螺旋状を維持することができる。本実施形態において、綿ループ４１２は同じ直径を有し、互いに協働して仮想軸Ａに沿って延びる収容空間４１３を区画する。
【００１１】
図６及び図７に示されるように、本実施形態は補助装置４３を更に具える。補助装置４３は、収容空間４１３に着脱自在に挿入されるプッシュロッド４３１と、プッシュロッド４３１の一端に固定連結されて収容空間４１３の外部に位置する手持部４３２とを具える。プッシュロッド４３１の長さは、吸収体４１の長さよりも短い。手持部４３２の幅は、プッシュロッド４３１の幅及び収容空間４１３の幅よりも大きいので、手持部４３２は収容空間４１３内に伸びない。引き紐４２は、手持部４３２に近接している最も外側の綿ループ４１２に結ばれている、または固定して接続されている。吸収体４１を膣５から除去するために、引き紐４２が使用者によって引っ張られる（図８参照）。
【００１２】
図８及び図１０、並びに図７に示されるように、使用するときに、使用者は手持部４３２を把持し、タンポン４の吸収体４１を膣５に押し込む。吸収体４１が膣５に配置された後、手持部４３２は膣５から引き離され、プッシュロッド４３１を吸収体４１の収容空間４１３からそして膣５から除去する。吸収体４１は、図８に示されるように、膣５の形状に適合し、それに応じて湾曲することができる。この際、綿ループ４１２と膣５の内壁との間には隙間が存在する（図１０参照）。図９及び図１１、並びに図７に示されるように、経血を吸収した後、上述した溶解可能な接着剤が膣５の内部で溶けているので、綿ループ４１２は互いに対して曲がり、または半径方向に沿って互いに対して僅かにずれることができる。このような可動性により、綿ループ４１２が膣５の内壁の平坦でない表面や膣５の湾曲に対応することができる。経血を吸収した後の綿ループ４１２の膨張や膨潤を伴って、綿ループ４１２がそれぞれ膣５の内壁に密接し（図１１参照）、吸収体４１と膣の内壁との隙間による経血の漏れを防止することができる。
【００１３】
タンポン４を使用した後に、タンポン４を取り外すために、使用者は引き紐４２を引っ張って吸収体４１を膣５から除去する。吸収体４１が膣５から引き出されると、図９に示すように、吸収体４１の綿体４１１が徐々に真っ直ぐになるので、膣５の内壁との過度の摩擦を防ぐことが出来、使用者に快適さを与える。また、吸収体４１が膣５に挿入されたとき、吸収体４１は、膣５の膣口とは反対側の先端と、膣５の膣口に近接する近端とを有し、引き紐４２の一端は、吸収体４１の近端に位置する最も外側の綿ループ４１２に固定されていることに注意されたい。
【００１４】
図１２には、上記第１の実施形態の変形例が示されている。図示のように、当該変形例は、吸収体４１の綿体４１１を半分に折り曲げた後、螺旋状にすることによるものである。
【００１５】
以上のように、本発明の第１の実施形態によるタンポン４の吸収体４１は、螺旋状に巻くよう互いに当接されて保持された綿ループ４１２が、経血を吸収した後に、膨潤によりそれぞれ膣５の内壁に密接できることにより、経血の漏れを防ぐ効果が実現し、また取り外しの際にも使用者は異物感を感じることなく綿ループ４１２を膣５から容易に取り外すことができる。なお、従来のタンポンも、経血を吸収することにより膨張して膣５を充満するが、膣５の大きさが異なるため、特に引き出す際に、圧迫により使用者に不快感を引き起こすことがある。
【００１６】
図１３において、本発明の第２の実施形態は、第１の実施形態と概ね同一であるが、吸収体４１の形状が異なる。第２の実施形態において、吸収体４１の綿ループ４１２は、手持部４３２に近い一端である近端から手持部４３２に対向する先端に連れ、直径が徐々に縮まる。引き紐４２の一端は、綿ループ４１２の直径が最大のものに固定されている。この実施形態は、使用者の需要に応じて選択できるように、吸収体４１の形状の代替案を提供する。
【００１７】
図１４において、本発明の第３の実施形態は、第１の実施形態と概ね同一であるが、吸収体４１の形状が異なる。第３の実施形態において、吸収体４１の綿ループ４１２は、吸収体４１の手持部４３２に最も近い一端から、吸収体１１の手持部４３２から離れた他の一端にかけて、直径が徐々に拡大してから徐々に縮まる。この実施形態も、使用者の需要に応じて選択できるように、吸収体４１の形状の代替案を提供する。
【００１８】
図１５において、本発明の第４の実施形態は、第１の実施形態と概ね同一であるが、吸収体４１の構成が異なる。第４の実施形態において、吸収体４１は、２つの綿体４１１を撚り合わせることにより螺旋状に形成されている。また、本実施形態においては、１つの綿体４１１の綿ループ４１２aと他の１つの綿体４１１の綿ループ４１２a同士が密着している。本実施形態の変形例として、図１６に示されるように、吸収体４１は３つの綿体４１１を撚り合わせることにより螺旋状に形成されても良い。綿体４１１の数は、ここに記載された数に限定されないことに留意されたい。この実施形態も、使用者の需要に応じて選択できるように、吸収体４１の形状の代替案を提供する。
【００１９】
図１７において、本発明の第５の実施形態は、第１の実施形態と概ね同一であるが、吸収体４１の構成が異なる。第５の実施形態において、各綿ループ４１２ｂの外周面に、それぞれ仮想軸Ａと平行するように延伸する複数の溝４１４が、仮想軸Ａを取り囲むと共に円周方向に互いに離間するように形成される。また、各綿ループ４１２ｂの該溝４１４はそれぞれ隣接する綿ループ４１２ｂの溝４１４と一直線に連通する。このように、膣５の膣口と最も離れた綿ループ４１２ｂ(即ち、膣５の一番奥にある１つの綿ループ４１２ｂ)が経血により飽和し、経血を吸収できなくなっても、当該綿ループ４１２ｂが吸収しきれない経血は溝４１４を介して流出し、まだ飽和していない他の綿ループ４１２ｂによって吸収される。これによって、膣５の膣口と最も離れた綿ループ４１２ｂが飽和して経血の流路を閉鎖し、余剰の経血が膣５内に滞留することを防ぐことができる。
【００２０】
以上、本発明を実用的な実施形態と考えられるものに関して記述してきたが、本発明は、開示した実施形態に制限されることなく、同様の修正および等価な配置のすべてを包含するような、最も広い解釈の精神および範囲内に含まれる様々なアレンジをカバーするように意図されることが理解される。
【産業上の利用可能性】
【００２１】
以上のように、本発明の実施形態によるタンポン４は、経血を吸収した後の綿ループ４１２の可動性により、綿ループ４１２が膣５の内壁に対応して密接することができ、経血の漏れを防止することができる。従って、使い勝手がいいと共に便利性及び快適性を持つタンポン４を実現し得る。
【符号の説明】
【００２２】
１        従来のタンポン
１１      従来の吸収体
１２      従来の引き紐
２        膣
３        生理用ナプキン
４        タンポン
４１      吸収体
４１１    綿体
４１２    綿ループ
４２      引き紐
４３      補助器具
４３１    プッシュロッド
４３２    手持部
５        膣
Ａ        仮想軸        
【図１】
2019209022.tif 000003
【図２】
2019209022.tif 000004
【図３】
2019209022.tif 000005
【図４】
2019209022.tif 000006
【図５】
2019209022.tif 000007
【図６】
2019209022.tif 000008
【図７】
2019209022.tif 000009
【図８】
2019209022.tif 000010
【図９】
2019209022.tif 000011
【図１０】
2019209022.tif 000012
【図１１】
2019209022.tif 000013
【図１２】
2019209022.tif 000014
【図１３】
2019209022.tif 000015
【図１４】
2019209022.tif 000016
【図１５】
2019209022.tif 000017
【図１６】
2019209022.tif 000018
【図１７】
2019209022.tif 000019